(57)【要約】【課題】直接手に触れずに収納容器から錠剤３を取出すことが出きる、衛生的な容器を提供することである。【解決手段】収納容器部２を傾けてゴム材質のキャップ部１内に錠剤３を入れ、キャップ部１を摘むとキャップ部１内に錠剤３も把持される。この状態でキャップ部１を取り外すと、キャップ部１で錠剤３を把持した状態で取り出すことができる固形物取り出し容器。【選択図】        図１
2006315728.tif 000002
【特許請求の範囲】
【請求項１】
固形物を収納する収納容器部と収納容器部に着脱可能に取付けられたキャップ部からなる収納容器において、キャップ部を弾性変形させて固形物を押さえることを特徴とした固形物取り出し容器。
【請求項２】
固形物を収納する収納容器部と収納容器部に取付ける蓋部と蓋部に着脱可能に取付けられたキャップ部からなる収納容器において、蓋部には固形物が落下可能な穴を有し、さらにキャップ部を弾性変形させて固形物を押さえることを特徴とした固形物取り出し容器。
【請求項３】
キャップ部の着脱を可能にする着脱構造はテーパー部、ネジ部、凹凸部、パイプ部、弾性部のいずれかにより構成されていることを特徴とする請求項１、２に記載の固形物取り出し容器。
【請求項４】
キャップ部は透明または半透明であることを特徴とした請求項１、２、３に記載の固形物取り出し容器。
【請求項５】
収納容器部は透明または半透明で、固形物が一列並びに落下可能な通路を有するとともに、固形物の幅で目盛り、曜日、日付が表示されていることを特徴とする請求項１、２、３、４に記載の固形物取り出し容器。
【請求項６】
蓋部の着脱構造は蓋部の外形と同じ、もしくは蓋部の外形より内側に形成されていることを特徴とする請求項２、３に記載の固形物取り出し容器。
【請求項７】
蓋部の着脱構造は蓋部の外側と内側にそれぞれ形成されていることを特徴とする請求項２、３、６に記載の固形物取り出し容器。
【発明の詳細な説明】
【技術分野】
【０００１】
本発明は、薬剤、栄養剤、美容剤等の錠剤や、粒状ラムネや粒状ガム等の固形物を取り出す容器に関する。
【背景技術】
【０００２】
従来、錠剤は、収納容器にネジ付の蓋やキャップで密封して収納することが多く、ネジ付の蓋やキャップを開けた後に収納容器を傾けて手のひら上に取り出していた。
しかし、収納容器を倒し過ぎることで必要数以上の錠剤を取り出してしまうことが多く、余剰の錠剤を収納容器内に戻すのは面倒であると共に、利用者の手に触れることで雑菌が付着し不衛生であった。
【０００３】
そこで、この問題を解決する従来例に錠剤を一錠ずつ取出すことができる特許文献１が公開されている。この従来例の全体図を図１２に、取り出し部の拡大図を図１３に示す。収納容器２９に錠剤２６が一列に入る穴２７のあいた茎部２５と、その茎部２５の先端には、錠剤２６の厚み寸法より狭い間隔で対向する舌片状の弾性片２８が構成されている。錠剤２６の取り出し方法は、まず収納容器を逆さにして、茎部２５に錠剤２６を落下させて一列に並べると、先端の対向する舌片状の弾性片２８により錠剤２６が一錠挟まれるので、その錠剤２６を手指で挟んで弾性片２８から引き出すことで、錠剤２６を取り落とすことがなく一錠ずつ取り出せる考案である。
【０００４】
【特許文献１】特開平１１−１４７５５４号広報
【発明の開示】
【発明が解決しようとする課題】
【０００５】
しかし、サプリメントなどの錠剤は一回で数錠の錠剤を飲むことが多く、特許文献１では一回で一錠しか取出すことが出来ないので、数回も収納容器を逆さにして取出すことをしなければならず時間がかかる。また、一錠ずつ手で摘んで取出すので雑菌が付着し不衛生である。さらに、茎部２５内の穴寸法や錠剤Ｔの厚み寸法より狭い間隔で対向する舌片状の弾性片２８の間隔寸法は錠剤の最大外形と厚みにより決まるので、多種の錠剤寸法に合わせて多種類の収納容器が必要になり汎用性が少ないため、製造コストが高くなるという問題があった。
【０００６】
本発明の目的は、かかる従来技術の課題を解決し、一回の取り出しで複数個の錠剤や粒ガムなどの固形物を取出すことが出来、さらに固形物に直接触れないで収納容器から取出すことが出きる固形物取り出し容器を提供することである。
【課題を解決するための手段】
【０００７】
上記目的を達成するため、本発明に係る固形物取り出し容器は、固形物を収納する収納容器部と収納容器部に着脱可能に取付けられたキャップ部からなる収納容器において、キャップ部を弾性変形させて固形物を押さえることが好ましい。
【０００８】
また、本発明に係る固形物取り出し容器は、固形物を収納する収納容器部と収納容器部に取付ける蓋部と蓋部に着脱可能に取付けられたキャップ部からなる収納容器において、蓋部には固形物が落下可能な穴を有し、さらにキャップ部を弾性変形させて固形物を押さえることが好ましい。
【０００９】
また、本発明に係るキャップ部の着脱を可能にする着脱構造はテーパー部、ネジ部、凹凸部、パイプ部、弾性部のいずれかにより構成されていることが好ましい。 
【００１０】
また、本発明に係るキャップ部は透明または半透明であることが好ましい。 
【００１１】
また、本発明に係る収納容器部は透明または半透明で、固形物が一列並びに落下可能な通路を有するとともに、固形物の幅で目盛り、曜日、日付が表示されていることが好ましい。 
【００１２】
また、本発明に係る蓋部の着脱構造は蓋部の外形と同じ、もしくは蓋部の外形より内側に形成されていることが好ましい。
【００１３】
また、本発明に係る蓋部の着脱構造は蓋部の外側と内側にそれぞれ形成されていることが好ましい。 
【発明の効果】
【００１４】
上記構成の少なくとも１つにより、固形物を収納する収納容器部に着脱可能なキャップ部からなる固形物取り出し容器で、キャップ内部に固形物を入れた状態でキャップを摘むことでキャップと固形物を同時に取り外すので、固形物を直接手で触れることがなく固形物を取り出せるため衛生的であるという効果がある。また、別な効果としてキャップを透明または半透明の弾性体にすることで、キャップ内部にある複数の固形物が見えるため、必要数のみを指で押さえてキャップと固形物を同時に取り外すことで、一回で必要数の固形物を取出すことが出きるという効果もある。
【発明を実施するための最良の形態】
【００１５】
以下に図面を用いて本発明に係る実施の形態につき詳細に説明する。以下においては、球形状の錠剤用容器として説明するが、楕円状のカプセルや錠剤また、粒ガムや粒状ラムネなどの食品であっても良い。また、本発明はこれらの図面に限定されるものではない。さらに、図面に付した符号は、異なる図面においても同じ名称の部分には同じ符号を用いた。
【実施例１】
【００１６】
図１、図２は本発明の実施例１の固形物取り出し容器であり、図１（ａ）は正面から見た断面図、図１（ｂ）は側面から見た断面図でキャップ部１、収納容器部２、錠剤３である。キャップ部１は弾性変形する材料で、たとえば食品の包装に使用できる材料を選択する、ゴム材料では、特に半透明なシリコンゴムなどが良い。また樹脂材料ではポリエチレン、ポリプロピレンやポリエチレンテレフタレートなども使用できる。収納容器部２の材料はガラスやプラスチック、たとえば、ポリエチレン、ポリプロピレン、ポリエチレンテレフタレートなど食品の包装に使用できる樹脂を選択する。
キャップ部１はシリコンゴムを使用して収納容器部２に装着されているので気密性があり、固形物の酸化を防止することができる。
【００１７】
図２はキャップ部１であり（a）は正面図、（b）は側面図、（c）は底面図であり、チューブの片側端面４が閉じた形状である。キャップ部１の製造は型により製造する。
また、図３と図４の断面図は実施例１の固形物取り出し容器の変形例であり、収納容器部５に蓋部６が付いていて蓋部６にキャップ部１が着脱できる着脱構造がある固形物取り出し容器である。この取り出し手順を図３(a）〜図３(e)で説明する。
【００１８】
固形物取り出し容器の構成はキャップ部１、錠剤３、収納容器部５、蓋部６であり、蓋部６には錠剤３が通る穴５０がある。図３（a）は容器が置かれた状態である。図３（b）は容器を倒して錠剤３が蓋部６の穴５０を通り、キャップ部１の内部に入った状態である。キャップ部１は弾性変形し半透明の材料、たとえばシリコンゴムで加工したものを使用する。キャップ部１は半透明なので、キャップ部１の内部に何個の錠剤３が入っているか目視で確認することができる、ここでは一錠ほしいので、キャップ部１の外側から一錠だけ摘む。図３（c）で、容器を立てると、キャップ部１の内部に入っていた、余分な錠剤３は重力により蓋部６の穴５０を通り収納容器部５に入るが、キャップ部１の外側から摘んだ錠剤３はキャップ部１の内部に保持される。図３（d）はキャップ部１の内部に錠剤３がある状態でキャップ部１ごと蓋部６から取り外す。図３（e）はキャップ部１の外側から摘んだ錠剤３の落下位置に口を移動させ、キャップ部１を摘む力を弱めることで、キャップ部１から錠剤３が落下して口の中に落ちる。キャップ部１は弾性力があるので指からは落下しない。次に図３（a）のようにキャップ部１を蓋部６に装着する。以上の手順で、錠剤３に直接手で触れることなく、口の中に入れることができるので、とても衛生的である。
また、図４は錠剤３を三錠摘んだ時の図であり、キャップ部１は半透明なので、何錠ほど摘んだかはキャップ部１を見て確認できる。
【００１９】
図５〜図８までは実施例１の固形物取り出し容器におけるキャップ部の着脱構造を示す。まずテーパー形状の着脱構造を説明する。図５（ａ）は正面から見た断面図、図５（ｂ）は側面から見た断面図でシリコンゴムのキャップ部７、テーパー付蓋部８、錠剤３、テーパー部２０である。テーパー部２０にシリコンゴムのキャップ部７を押し込むことで、着脱できる構造であり、シリコンゴムで密封しているので気密が保たれ、錠剤３の酸化を防ぐことができる。また、キャップ部７内部の幅Ｈは錠剤３の外形より大きく錠剤３の外形の２倍より小さい寸法である。このことにより、錠剤３は重ならずに同一平面状に並ぶため図５（ａ）からキャップ部７の内部を見て、必要数の錠剤を摘みやすくなる。またキャップ部７は円盤形状なので、多くの錠剤が入るため、一回に多くの錠剤を取り出す場合に効果がある。
【００２０】
次にねじ形状の着脱構造を説明する。図６（ａ）は正面から見た断面図、図６（ｂ）は側面から見た断面図でシリコンゴムのキャップ部９、ネジ付蓋部１０、ネジ部１１である。
キャップ部９とネジ部１１は接合されている。着脱方法はキャップ部９を摘んだ状態でネジ付蓋部１０側を回転させることで、キャップ部９を摘んだ状態でも着脱できる。ネジで着脱するので、小さい力でも強く締め付けることができる効果がある。
【００２１】
次に凹凸形状の着脱構造を説明する。図７（ａ）は正面から見た断面図、図７（ｂ）は側面から見た断面図でゴムのキャップ部１２、凸部付蓋部１３、凹部材１４である。
キャップ部１２と凹部材１４は接合されている。着脱方法はキャップ部１２を凸部付蓋部１３に押し込むことで着脱できる。また、キャップ部１２内部の幅Ｈは錠剤３の外形より大きく錠剤３の外形の２倍より小さい寸法である。このことにより、錠剤３は重ならずに同一平面状に並ぶため図７（ａ）からキャップ部１２の内部を見て、必要数の錠剤を摘みやすくなる。
【００２２】
次に弾性部の着脱構造を説明する。図８は正面から見た断面図でプラスチックのキャップ部１９、弾性部２１、蓋部６、固定部３３である。プラスチックはポリエチレン、ポリプロピレンやポリエチレンテレフタレートなど安価な材料を型により成型し、キャップ部１９が弾性変形するように肉厚を０．１ｍｍ〜０．８ｍｍほどにする。キャップ部１９と弾性部２１は固定部３３により接合されている。弾性部２１を蓋部６に押し込むことで着脱できる。この構造により、着脱部のみ材料の高価なゴム材を使用し、キャップ部１９は安価な材料を使用することで、コストダウンができる。また、図示しないが、着脱部にゴム材を使用せず、ポリエチレン、ポリプロピレンやポリエチレンテレフタレートなど食品容器に使用するプラスチックのみの成型品でキャップ部を製造しても良い。
【実施例２】
【００２３】
図９、図１０は本発明の実施例２の固形物取り出し容器であり、図９（ａ）は正面から見た断面図、図９（ｂ）は側面から見た断面図、図１０は正面図である。各構成は錠剤３、シリコンゴムのキャップ部１５、ポリエチレンなどのプラスチック材質のパイプ部１７、錠剤３が一列に入る透明な収納容器部１６、錠剤３の外形と同一間幅の目盛１８である。キャップ部１５にはパイプ部１７が固定されている。キャップ部１５を収納容器部１６に装着するとき、キャップ部１５の装着部に固定されているパイプ部１７が収納容器部１６に入る、パイプ部１７の内径は収納容器部１６の外形より０．２ｍｍから０．８ｍｍほど大きいので挿入しやすい。そして、さらにキャップ部１５を押し込むと収納容器部１６はキャップ部１５内部の密封位置３０に接触する、このことでキャップ部１５の内部と収納容器部１６が装着される。パイプ部１７があることで、テーパー部を設けなくても挿入しやすくなるので、錠剤３を落とすことなくキャップ部１５の着脱が可能になる。また収納容器部１６には目盛１８があるので、いくつ飲んだのかが判る。図示しないが目盛に月から日までの曜日を記載することで、一週間分のピルケースとして使用することもできる。また１から31までの目盛をつけることで一ヶ月分のピルケースとしても使用できる。
【実施例３】
【００２４】
図１１は本発明の実施例３の固形物取り出し容器であり、図１１（a）は蓋２２の平面図、図１１（b）はキャップ部２４が蓋２２の内側に装着された断面図。図１１（c）はキャップ部２４が蓋２２の外側に装着された断面図である。各構成は錠剤３、キャップ部２４、外側と内側の二箇所にキャップ部２４の着脱構造がある蓋２２、収納容器部２３である。まず図１１（b）より蓋２２にある外側の着脱構造４４は蓋２２の外形と同じ高さであるので、梱包時や店の陳列時などに商品を蓋２２の上に載せることができるので実施例３の固形物取り出し容器はかさばらない。また、キャップ部２４は蓋２２の内側の着脱構造４５に装着されているのでキャップ部２４も収納できる。またキャップ部２４により密封されているので、錠剤３は酸化しない。また、シリコンゴムのキャップ部２４が容器の中に入っているので、錠剤３を押さえつけ、配送時の振動による錠剤３の割れや欠けを防止できるダンパーの役目をする。そして家庭で使用するときは図１１（c）のように蓋２２の外側の着脱構造４４にキャップ部２４を装着させることで、キャップ部２４により錠剤３を容易に取り出すことができるという効果がある。
【図面の簡単な説明】
【００２５】
【図１】（a），（b）は本発明の実施例１の固形物取り出し容器
【図２】（a）〜（c）は本発明の実施例１のキャップ部
【図３】（a）〜（e）は本発明の実施例１の取り出し手順。
【図４】は本発明の実施例１の取り出し例。
【図５】（a），（b）は実施例１のテーパーによるキャップ部の着脱構造
【図６】（a），（b）は実施例１のネジによるキャップ部の着脱構造
【図７】（a），（b）は実施例１の凹凸によるキャップ部の着脱構造
【図８】は実施例１の弾性部によるキャップ部の着脱構造
【図９】（a），（b）は本発明の実施例２の固形物取り出し容器の断面図
【図１０】は本発明の実施例２の固形物取り出し容器
【図１１】（a）〜（c）は本発明の実施例３の固形物取り出し容器
【図１２】は従来例の錠剤取り出し容器
【図１３】は従来例の錠剤取り出し部の拡大図
【符号の説明】
【００２６】
１，７，９，１２，１５，２４キャップ部、２収納容器部、３錠剤、６蓋部、１８目盛
８テーパー付蓋部、１０ネジ付蓋部，１３凸部付蓋部、１７パイプ部、４４外側の着脱構造、４５内側の着脱構造
【図１】
2006315728.tif 000003
【図２】
2006315728.tif 000004
【図３】
2006315728.tif 000005
【図４】
2006315728.tif 000006
【図５】
2006315728.tif 000007
【図６】
2006315728.tif 000008
【図７】
2006315728.tif 000009
【図８】
2006315728.tif 000010
【図９】
2006315728.tif 000011
【図１０】
2006315728.tif 000012
【図１１】
2006315728.tif 000013
【図１２】
2006315728.tif 000014
【図１３】
2006315728.tif 000015